【手続補正書】
【提出日】平成31年4月4日(2019.4.4)
【手続補正１】
【補正対象書類名】明細書
【補正対象項目名】００２７
【補正方法】変更
【補正の内容】
【００２７】
蓋体８に設けられている注出ポンプ９は、筒状シリンダ部１６と、筒状シリンダ部１６の上部に設けられ、筒状シリンダ部１６内に摺動自在に嵌合するピストンの操作部を兼ねる注出ノズル１７と、筒状シリンダ部１６の下部に設けられた吸い込み管１８で構成されている。筒状シリンダ部１６は蓋体８の天板部１３に貫通して固定され、天板部１３の上面側に注出ノズル１７が配置され、天板部１３の下面側に吸い込み管１８が配置されている。
そして、筒状収納容器１０の外周に蓋体８の筒壁部１４を嵌合して筒状収納容器１０の収納口６を閉じたとき、蓋体８の天板部１３の下面側に配置されている吸い込み管１８が筒状収納容器１０内に収納されている液体内容器５の上面部２に有するフィルム３を破断して吸い出し口４から液体内容器５内へ挿入されるようになっている。
【手続補正２】
【補正対象書類名】明細書
【補正対象項目名】００２９
【補正方法】変更
【補正の内容】
【００２９】
本例の液体内容器５は、両面に熱可塑性樹脂を積層した紙素材からなり、胴部縦折線２１，２２，２３を介して４つの胴部パネル２４，２５，２６，２７を備え、胴部パネル２７にシール縦折線２８を介して連設した縦方向シールパネル２９によって胴部パネル２４の縁部が接合されて四角の筒状に形成された胴部１９を有している。
【手続補正３】
【補正対象書類名】明細書
【補正対象項目名】００３７
【補正方法】変更
【補正の内容】
【００３７】
このように構成された詰め替え容器１における液状内容物の詰め替えは次のように行われる。
詰め替え容器１における液状内容物の詰め替え作業は、詰め替え容器１における収納体７となる筒状収納容器１０への液体内容器５の収納作業と、筒状収納容器１０へ収納した液体内容器５を筒状収納容器１０から取り出す作業に分かれる。
【手続補正４】
【補正対象書類名】明細書
【補正対象項目名】００３９
【補正方法】変更
【補正の内容】
【００３９】
次に、液体内容器５を収納した筒状収納容器１０の外周に蓋体８の筒壁部１４を嵌合し、筒状収納容器１０の収納口６を閉じる。
筒状収納容器１０の収納口６を閉じる過程で、筒状収納容器１０の外周に嵌合する蓋体８の筒壁部１４の内面に設けられている突部１５が筒状収納容器１０に形成されている切り欠き部１２内に露出している突状段部２０に当接するが、蓋体８の筒壁部１４を押し下げることにより、突部１５の押圧により液体内容器５の突状段部２０が弾性変形し、突部１５は変形した突状段部２０を乗り越え切り欠き部１２内を移動する。
【手続補正５】
【補正対象書類名】明細書
【補正対象項目名】００４０
【補正方法】変更
【補正の内容】
【００４０】
同じく、筒状収納容器１０の収納口６を閉じる過程で、蓋体８の天板部１３の下面側に配置されている吸い込み管１８が筒状収納容器１０内に収納されている液体内容器５の上面部２に有するフィルム３を破断して吸い出し口４から液体内容器５内へ挿入される。
さらに、筒状収納容器１０の外周に嵌合した蓋体８の筒壁部１４を筒状収納容器１０の外周に沿って押し下げることにより、筒状収納容器１０の収納口６が蓋体８で閉じられ、筒状収納容器１０への液体内容器５の収納作業が完了する（図８参照。）。
【手続補正６】
【補正対象書類名】明細書
【補正対象項目名】００４１
【補正方法】変更
【補正の内容】
【００４１】
筒状収納容器１０へ収納した液体内容器５内の液状内容物を消尽したら、筒状収納容器１０から蓋体４を外し、筒状収納容器１０から液状内容物を消尽した液体内容器５を取り出す。
この筒状収納容器１０から液体内容器５を取り出す作業にあっては、蓋体８を引き上げ筒状収納容器１０の収納口６を開ける過程で、蓋体８の筒壁部１４の内面に設けられている突部１５が液体内容器５の突状段部２０の下側に掛止し（図９参照。）、液体内容器５は蓋体８と一体となって筒状収納容器１０内から取り出される。
このようにして、筒状収納容器１０へ収納した液体内容器５の取り出し作業は完了する（図１０参照。）。
【手続補正７】
【補正対象書類名】明細書
【補正対象項目名】００４９
【補正方法】変更
【補正の内容】
【００４９】
次に、液体内容器５を収納した筒状収納容器１０の外周に蓋体８の筒壁部１４を嵌合し、筒状収納容器１０の収納口６を閉じる。
筒状収納容器１０の収納口６を閉じる過程で、筒状収納容器１０の外周に嵌合する蓋体８の筒壁部１４の内面に設けられている突部１５が筒状収納容器１０に形成されている切り欠き部１２内に露出している突状段部２０に当接し、第１例と同様に、突状段部２０を弾性変形させて突状段部２０を乗り越え切り欠き部１２内を移動する。
【手続補正８】
【補正対象書類名】明細書
【補正対象項目名】００５０
【補正方法】変更
【補正の内容】
【００５０】
同じく、筒状収納容器１０の収納口６を閉じる過程で、蓋体８の天板部１３の下面側に配置されている吸い込み管１８が筒状収納容器１０内に収納されている液体内容器５の上面部２に有するフィルム３を破断して吸い出し口４から液体内容器５内へ挿入される。
さらに、蓋体８の筒壁部１４を筒状収納容器１０の外周に沿って押し下げることにより、筒状収納容器１０の収納口６が蓋体８で閉じられる（図１４参照。）。
【手続補正９】
【補正対象書類名】明細書
【補正対象項目名】００５１
【補正方法】変更
【補正の内容】
【００５１】
筒状収納容器１０へ収納した液体内容器５内の液状内容物を消尽したら、筒状収納容器１０から蓋体８を外し、筒状収納容器１０から液体内容器５を取り出す。
筒状収納容器１０から液体内容器５を取り出す作業にあっては、第１例と同様に、蓋体８を引き上げ筒状収納容器１０の収納口６を開ける過程で、蓋体８の筒壁部１４の内面に設けられている突部１５が液体内容器５の突状段部２０の下側に掛止し（図１５参照。）、液体内容器５は蓋体８と一体となって筒状収納容器１０内から取り出される（図１６参照。）。
【手続補正１０】
【補正対象書類名】明細書
【補正対象項目名】００５９
【補正方法】変更
【補正の内容】
【００５９】
次に、液体内容器５を収納した支持枠部５８の外周に蓋体８の筒壁部１４を嵌合し、支持枠部５８の収納口６を閉じる。
支持枠部５８の収納口６を閉じる過程で、蓋体８の筒壁部１４の内面に設けられている線状の突部１５が支持枠部５８から露出している筒状収納容器１０の突状段部２０に当接し、第１例と同様に、突状段部２０を弾性変形させて突状段部２０を乗り越えて移動し、さらに、線状の突部１５の前進側端部が支持枠部５８の支持片５７の間を移動する。
【手続補正１１】
【補正対象書類名】明細書
【補正対象項目名】００６０
【補正方法】変更
【補正の内容】
【００６０】
同じく、支持枠部５８の収納口６を閉じる過程で、蓋体８の天板部１３の下面側に配置されている吸い込み管１８が支持枠部５８内に収納されている液体内容器５の上面部２に有するフィルム３を破断して吸い出し口４から液体内容器５内へ挿入される。
さらに、蓋体８の筒壁部１４を支持枠部５８の外周に沿って押し下げることにより、支持枠部５８の収納口６が蓋体８で閉じられる（図２０参照。）。
【手続補正１２】
【補正対象書類名】明細書
【補正対象項目名】００６１
【補正方法】変更
【補正の内容】
【００６１】
支持枠部５８へ収納した液体内容器５内の液状内容物を消尽したら、支持枠部５８から蓋体８を外し、支持枠部５８から液体内容器５を取り出す。
支持枠部５８から液体内容器５を取り出す作業にあっては、第１例と同様に、蓋体８を引き上げ支持枠部５８の収納口６を開ける過程で、蓋体８の筒壁部１４の内面に設けられている突部１５が液体内容器５の突状段部２０の下側に掛止し、液体内容器５は蓋体８と一体となって支持枠部５８内から取り出される（図２１参照。）。
【手続補正１３】
【補正対象書類名】図面
【補正対象項目名】図２
【補正方法】変更
【補正の内容】
【図２】
2018052611.tif 000001
【手続補正１４】
【補正対象書類名】図面
【補正対象項目名】図４
【補正方法】変更
【補正の内容】
【図４】
2018052611.tif 000002
【手続補正１５】
【補正対象書類名】図面
【補正対象項目名】図５
【補正方法】変更
【補正の内容】
【図５】
2018052611.tif 000003
【手続補正１６】
【補正対象書類名】図面
【補正対象項目名】図６
【補正方法】変更
【補正の内容】
【図６】
2018052611.tif 000004